(57)【要約】【課題】動作試験のための複雑な接続が不要であって試験時間の短縮が可能であり、装置構成を簡略化することができる受信機を提供すること。【解決手段】局部発振器１３に接続されたＰＬＬ回路２０に入力される基準信号を生成するために用いられる発振器２１の出力信号を分周器２４で分周することにより、ＡＭ放送の受信帯域に含まれる試験信号が生成される。この試験信号は、スイッチ２５を介して高周波増幅回路１１に入力され、この試験信号に対する中間周波信号がレベル検出部３０に入力される。ＡＭ受信機が正常に動作している場合には、電圧比較器３１の出力がハイレベルになる。【選択図】        図１
2004153435.tif 000002
【特許請求の範囲】
【請求項１】
放送波の受信動作に必要な信号を生成する水晶発振器と、
前記水晶発振器の出力信号を用いて、動作試験の試験信号を生成する信号生成手段と、
前記試験信号を動作試験時にアンテナ入力部に入力するスイッチと、
前記試験信号に対して受信動作を行ったときに生成される被測定信号に基づいて、受信動作の良否を判定する判定手段と、
を備えることを特徴とする受信機。
【請求項２】
請求項１において、
前記水晶発振器は、局部発振信号を生成する周波数シンセサイザに入力する基準信号の生成に用いられることを特徴とする受信機。
【請求項３】
請求項１において、
前記水晶発振器は、ロジック回路の動作に必要なクロック信号の生成に用いられることを特徴とする受信機。
【請求項４】
請求項１〜３のいずれかにおいて、
前記信号生成手段は、前記水晶発振器の出力信号を分周することにより、放送波の受信帯域に含まれる周波数を有する前記試験信号を生成する分周器であることを特徴とする受信機。
【請求項５】
請求項１〜３のいずれかにおいて、
前記信号生成手段は、前記水晶発振器の出力信号を基準信号として用いることにより、放送波の受信帯域に含まれる周波数を有する前記試験信号を生成するＰＬＬ回路と発振器であることを特徴とする受信機。
【請求項６】
請求項１〜３のいずれかにおいて、
前記信号生成手段は、前記水晶発振器の出力信号を基準信号として用いることにより、放送波の受信帯域に含まれる周波数を有する前記試験信号を生成する周波数シンセサイザであることを特徴とする受信機。
【請求項７】
請求項１〜３のいずれかにおいて、
前記信号生成手段は、前記水晶発振器の出力信号を逓倍することにより、放送波の受信帯域に含まれる周波数を有する前記試験信号を生成する逓倍器であることを特徴とする受信機。
【請求項８】
請求項１〜７のいずれかにおいて、
前記被測定信号は、前記試験信号と局部発振信号とを混合することにより生成される中間周波信号であり、
前記判定手段は、前記中間周波信号のレベル検出を行うことを特徴とする受信機。
【請求項９】
請求項１〜７のいずれかにおいて、
前記被測定信号は、中間周波信号に対して検波処理を行った後の信号であり、
前記判定手段は、前記検波処理が行われた信号のレベル検出を行うことを特徴とする受信機。
【発明の詳細な説明】
【０００１】
【発明の属する技術分野】
本発明は、所定の受信帯域内の信号を受信する受信機に関する。
【０００２】
【従来の技術】
ラジオ放送においては、放送局からＡＭ変調あるいはＦＭ変調等の変調方式を用いて音声信号を変調した信号が送出される。ラジオ受信機は、受信した信号をその変調方式に対応した方式で復調することにより、元の音声信号を出力している。このような受信機の組立完了時には、この受信機が正常に受信動作を行っているか否かを調べる動作試験が実施される。この動作試験は、例えば、試験対象となる受信機に動作試験用の計測システムを接続することにより行われる（例えば、特許文献１の背景技術の欄を参照。）。この計測システムは、信号発生器、低周波アナライザ、パーソナルコンピュータ等を含んで構成されており、パーソナルコンピュータからラジオ受信機および信号発生器に搬送波周波数や変調方式等の計測条件データが送信されて、受信機に対する動作試験が実施される。
【０００３】
また、動作試験を行うために必要な信号発生部等を内蔵することにより、自己診断を可能にした無線受信機が知られている（例えば、特許文献２を参照。）。この無線受信機は、疑似符号発生器、疑似符号照合器、発振／変調器等を備えており、無線受信機単体で動作試験を行うことができる。
【０００４】
【特許文献１】
国際公開第ＷＯ００／１４９１２号パンフレット（第１−２頁、図７）
【特許文献２】
特開平７−１３１４２９号公報（第２−５頁、図１−図４）
【０００５】
【発明が解決しようとする課題】
ところで、上述した特許文献１に開示されている計測システムでは、受信機の外部に信号発生器等の他の装置を接続しなければならないため、動作試験のための接続が煩雑になり、動作試験に時間がかかるという問題があった。
【０００６】
また、上述した特許文献２に開示された無線受信機では自己診断が行われるため、このような接続の煩雑さはないが、受信機内部に信号発生用の発振／変調器が必要になり、構成が複雑化するという問題があった。
本発明は、このような点に鑑みて創作されたものであり、その目的は、動作試験のための複雑な接続が不要であって試験時間の短縮が可能であり、装置構成を簡略化することができる受信機を提供することにある。
【０００７】
【課題を解決するための手段】
上述した課題を解決するために、本発明の受信機は、放送波の受信動作に必要な信号を生成する水晶発振器と、水晶発振器の出力信号を用いて、動作試験の試験信号を生成する信号生成手段と、試験信号を動作試験時にアンテナ入力部に入力するスイッチと、試験信号に対して受信動作を行ったときに生成される被測定信号に基づいて、受信動作の良否を判定する判定手段とを備えている。動作試験に必要な試験信号の生成を行う構成と試験結果の良否判定を行う構成とを受信機内に含んでいるため、動作試験に際して外部の計測装置等との間で複雑な接続を行う必要がなく、動作試験に要する時間を短縮することができる。また、試験信号の生成は水晶発振器の出力信号を用いて行われるため、試験信号の生成に必要な構成を別に備える場合に比べて受信機の装置構成を簡略化することができる。
【０００８】
また、上述した水晶発振器は、局部発振信号を生成する周波数シンセサイザに入力する基準信号の生成に用いられることが望ましい。最近では、操作性向上や商品性向上等の観点から周波数シンセサイザを備える受信機が多くなっている。このような受信機では、水晶発振器は必須の構成要素であり、この水晶発振器を試験信号生成用に用いることにより、部品の共用化による装置構成の簡略化が可能になる。
【０００９】
また、上述した水晶発振器は、ロジック回路の動作に必要なクロック信号の生成に用いられることが望ましい。上述した周波数シンセサイザの場合と同様に、最近では、多機能化や商品性向上等の観点からＣＰＵ等のロジック回路を備える受信機が多くなっている。このような受信機では、ロジック回路の動作に必要なクロック信号を生成する水晶発振器は必須の構成要素であり、この水晶発振器を試験信号生成用に用いることにより、部品の共用化による装置構成の簡略化が可能になる。
【００１０】
また、上述した信号生成手段は、水晶発振器の出力信号を分周することにより、放送波の受信帯域に含まれる周波数を有する試験信号を生成する分周器であることが望ましい。水晶発振器の出力信号を分周するだけで、周波数精度の高い試験信号を生成することが可能であり、装置構成のさらなる簡略化が可能になる。
【００１１】
また、上述した信号生成手段は、水晶発振器の出力信号を基準信号として用いることにより、放送波の受信帯域に含まれる周波数を有する試験信号を生成するＰＬＬ回路と発振器であることが望ましい。あるいは、上述した信号生成手段は、水晶発振器の出力信号を基準信号として用いることにより、放送波の受信帯域に含まれる周波数を有する試験信号を生成する周波数シンセサイザであることが望ましい。これにより、周波数精度の高い試験信号を生成するために、専用の水晶発振器を備える場合に比べて装置構成の簡略化が可能になる。
【００１２】
また、上述した信号生成手段は、水晶発振器の出力信号を逓倍することにより、放送波の受信帯域に含まれる周波数を有する試験信号を生成する逓倍器であることが望ましい。水晶発振器の出力信号を逓倍するだけで、周波数精度の高い試験信号を生成することが可能であり、装置構成のさらなる簡略化が可能になる。
【００１３】
また、上述した被測定信号は、試験信号と局部発振信号とを混合することにより生成される中間周波信号であり、判定手段は、中間周波信号のレベル検出を行うことが望ましい。これにより、所定周波数の搬送波に相当する単一周波数の試験信号が入力されたときに、受信機の受信動作の良否判定を行うことが可能になり、動作試験に必要な装置構成の簡略化が可能になる。
【００１４】
また、上述した被測定信号は、中間周波信号に対して検波処理を行った後の信号であり、判定手段は、検波処理が行われた信号のレベル検出を行うことが望ましい。検波後の信号には、搬送波の振幅に応じた直流成分が重畳するため、この直流成分のレベル検出を行うことにより、受信機の受信動作の良否判定を行うことが可能になり、動作試験に必要な装置構成の簡略化が可能になる。
【００１５】
【発明の実施の形態】
以下、本発明を適用した一実施形態のＡＭ受信機について、図面を参照しながら説明する。
〔第１の実施形態〕
図１は、第１の実施形態のＡＭ受信機の構成を示す図である。図１に示すように、本実施形態のＡＭ受信機は、高周波増幅回路１１、混合回路１２、局部発振器１３、中間周波フィルタ１４、１６、中間周波増幅回路１５、ＡＭ検波回路１７、ＰＬＬ回路２０、発振器２１、水晶振動子２２、分周器２３、２４、スイッチ２５、レベル検出部３０、電圧比較器３１、ＣＰＵ３２、メモリ３３、ＬＣＤ（液晶表示装置）３４を含んで構成されている。
【００１６】
アンテナ１０によって受信したＡＭ変調波信号を高周波増幅回路１１によって増幅した後、局部発振器１３から出力される局部発振信号を混合することにより高周波信号から中間周波信号への変換を行う。高周波増幅回路１１から出力される増幅後のＡＭ変調波信号の周波数をｆ１、局部発振器１３から出力される局部発振信号の周波数をｆ２とすると、混合回路１２からはｆ１±ｆ２の周波数を有する中間周波信号が出力される。例えば、４５０ｋＨｚの中間周波信号に変換される。
【００１７】
中間周波フィルタ１４、１６は、中間周波増幅回路１５の前段および後段に設けられており、入力される中間周波信号から変調波信号の占有周波数帯域に含まれる周波数成分を抽出する。中間周波増幅回路１５は、中間周波信号を増幅する。ＡＭ検波回路１７は、中間周波増幅回路１５によって増幅された後の中間周波信号に対してＡＭ検波処理を行う。
【００１８】
発振器２１は、水晶振動子２２を共振回路の一部として用いており、この水晶振動子２２の固有振動周波数ｆ０（実際にはこれより若干高い共振周波数ｆｒ）で発振動作を行う。例えば、発振器２１は、１７．１ＭＨｚで発振動作を行う。
ＰＬＬ回路２０は、局部発振器１３とともに周波数シンセサイザを構成しており、発振器２１から出力された信号を分周器２３で分周して生成した基準信号のＮ倍の周波数で局部発振器１３を発振させる制御を行う。このＮの値は、ＣＰＵ３２によって任意に変更可能であり、Ｎの値を切り替えることにより局部発振器１３の発振周波数の切り替えが行われる。
【００１９】
分周器２４は、発振器２１から出力される１７．１ＭＨｚの信号を分周して、ＡＭ放送の受信帯域に含まれる所定周波数の試験信号を生成する。例えば、分周器２４の分周比が「１８」に設定されており、９５０ｋＨｚ（＝１７．１ＭＨｚ／１８）の試験信号が出力される。
【００２０】
スイッチ２５は、ＡＭ受信機の動作試験を行うときにオン状態に制御される。このスイッチ２５を介して、分周器２４の出力端と高周波増幅回路１１の入力端（アンテナ入力部）とが接続されており、スイッチ２５がオン状態のときに分周器２４によって生成される９５０ｋＨｚの信号が高周波増幅回路１１に入力される。
【００２１】
レベル検出部３０は、動作試験時に中間周波フィルタ１６の出力信号のレベルを検出する。例えば、中間周波フィルタ１６の出力信号に対してピークホールドを行うことにより、この出力信号のレベル検出が行われる。電圧比較器３１は、プラス側入力端子にレベル検出部３０の出力信号が、マイナス側入力端子に所定の基準電圧Ｖｒｅｆがそれぞれ入力されており、レベル検出部３０の出力信号のレベルが基準電圧Ｖｒｅｆを越えたときにハイレベルの信号を出力する。
【００２２】
ＣＰＵ３２は、ＡＭ受信機全体の受信動作を制御するとともに、動作試験に必要な切り替えや結果表示等の制御を行う。具体的には、ＣＰＵ３２は、動作試験時にスイッチ２５をオン状態に切り替えるとともに電圧比較器３１の出力信号を取り込んで、動作試験結果の良否を判定する。メモリ３３は、ＣＰＵ３２の動作プログラムや動作試験の結果を格納する。ＬＣＤ３４は、ＣＰＵ３２によって表示内容が制御されており、受信中の放送波の内容を表示したり、動作試験の結果を表示するために用いられる。
【００２３】
上述した発振器２１と水晶振動子２２が水晶発振器に、分周器２４が信号生成手段に、レベル検出部３０、電圧比較器３１、ＣＰＵ３２が判定手段にそれぞれ対応する。
本実施形態のＡＭ受信機はこのような構成を有しており、次にその動作を説明する。
【００２４】
通常の受信動作時には、ＣＰＵ３２によってスイッチ２５がオフ状態に制御されており、分周器２４の出力信号が高周波増幅回路１１の入力端に入力されないようになっている。この状態では、アンテナ１０によって受信されたＡＭ変調波信号が高周波増幅回路１１に入力されており、ＣＰＵ３２によってＰＬＬ回路２０内の分周器の分周比Ｎを設定することにより、所望の放送波を受信することが可能になる。
【００２５】
上述した通常の受信動作に先立って、例えば、ＡＭ受信機の組立完了時に、ＡＭ受信機が正常に動作しているか否かを確認する動作試験が行われる。図２は、動作試験時におけるＡＭ受信機の動作手順を示す流れ図であり、主にＣＰＵ３２による制御動作の手順が示されている。
【００２６】
まず、ＣＰＵ３２は、スイッチ２５をオン状態に切り替える（ステップ１００）。これにより、分周器２４から出力される９５０ｋＨｚの試験信号がの出力信号がスイッチ２５を介して高周波増幅回路１１の入力端に入力される。
次に、ＣＰＵ３２は、受信周波数をこの試験信号の周波数（９５０ｋＨｚ）に設定する（ステップ１０１）。例えば、ＰＬＬ回路２０内の分周器の分周比がこの試験信号の周波数に対応した値に設定され、局部発振器１３から出力される局部発振信号の周波数が所定値に設定される。なお、実際には、高周波増幅回路１１内のアンテナ同調回路やＲＦ同調回路の同調周波数も試験信号の周波数に一致するように設定される。このようにして試験信号の入力と受信周波数の設定が終了すると、この試験信号に対応する中間周波信号が混合回路１２から出力され、中間周波フィルタ１４、中間周波増幅回路１５、中間周波フィルタ１６を介してレベル検出部３０に入力される。
【００２７】
次に、ＣＰＵ３２は、電圧比較器３１の出力を取り込んだ後に（ステップ１０２）、この取り込んだ内容に基づいて動作試験結果の良否を判定する（ステップ１０３）。試験信号に対して正常な受信動作が行われた場合には、中間周波フィルタ１６からこの試験信号に対応した中間周波信号が出力されるため、レベル検出部３０の出力信号が所定レベルになる。したがって、電圧比較器３１からはハイレベルの信号が出力される。ＣＰＵ３２は、電圧比較器３１の出力信号がハイレベルのときに、動作試験結果が良好であると判定する。反対に、ＣＰＵ３２は、電圧比較器３１の出力信号がローレベルのときに、動作試験結果が不良である判定する。次に、ＣＰＵ３２は、動作試験結果の良否判定の内容をＬＣＤ３４を用いて表示する（ステップ１０４）。
【００２８】
このように、本実施形態のＡＭ受信機では、動作試験を行うために必要な試験信号を発生する構成と試験結果の良否を判定する構成を内蔵しており、外部の測定装置等を用いることなく動作状態を自己診断することが可能であり、外部の測定装置等の接続が不要であって、この接続に要する時間を省略することによる試験時間の短縮が可能となる。
【００２９】
また、本実施形態のＡＭ受信機では、ＰＬＬ回路２０に入力する基準信号を生成するために用いられる発振器２１の出力信号を分周器２４で分周することにより、動作試験に必要な試験信号を生成しているため、この試験信号を発生させるためだけに用いられる発振器が不要になり、構成の簡略化が可能になる。特に、発振器２１の出力信号を分周するだけで、周波数精度の高い試験信号を生成することが可能であり、装置構成のさらなる簡略化が可能になる。
【００３０】
また、本実施形態のＡＭ受信機のように周波数シンセサイザが備わっている場合には、発振器２１と水晶振動子２２からなる水晶発振器が必須の構成要素であり、この水晶発振器を試験信号生成用に用いることにより、部品の共用化による装置構成の簡略化が可能になる。
【００３１】
また、本実施形態のＡＭ受信機では、中間周波フィルタ１１６から出力される中間周波信号を被測定信号としてこの信号のレベル検出を行っている。これにより、所定周波数の搬送波に相当する単一周波数の試験信号がスイッチ２５を介して高周波増幅回路１１に入力されたときに、ＡＭ受信機の受信動作の良否判定を確実に行うことができる。
【００３２】
図３は、本実施形態のＡＭ受信機の変形例を示す部分的な構成図である。図１に示したＡＭ受信機では、水晶振動子２２を用いて発振動作を行う発振器２１とスイッチ２５との間に、発振器２１の出力信号を分周する信号生成手段としての分周器２４を備えたが、図３に示すように、この信号生成手段としての分周器２４を発振器２６とＰＬＬ回路２７に置き換えるようにしてもよい。ＰＬＬ回路２７は、発振器２１の出力信号を基準信号として用いることにより、この基準信号に同期し、この基準信号の周波数の１／Ｍ（Ｍは整数）倍の周波数を有する信号を生成するように発振器２６の発振動作を制御する。例えば、発振器２１の出力信号の周波数が１７．１ＭＨｚの場合にはＭの値が１８に設定され、発振器２６において９５０ｋＨｚの発振動作が行われる。
【００３３】
このように、発振器２６とＰＬＬ回路２７を組み合わせて用いることによっても、外部の測定装置等を用いることなく動作状態を自己診断することが可能になるため、外部の測定装置等の接続が不要であって、この接続に要する時間を省略することによる試験時間の短縮が可能となる。また、局部発振器１３に接続されたＰＬＬ回路２０に入力する基準信号を生成するために用いられる発振器２１の出力信号を用いて試験信号を生成しているため、試験信号生成用に水晶振動子を用いた発振器を別に備える場合に比べて構成の簡略化が可能になる。
【００３４】
なお、図３に示した構成では、発振器２６とＰＬＬ回路２７とを組み合わせて試験信号を生成したが、図４に示すように、これらの代わりに周波数シンセサイザ２８を用い、ＣＰＵ３２からの周波数設定指示に応じて所定周波数の試験信号を生成するようにしてもよい。また、図３に示した発振器２６や図４に示した周波数シンセサイザ２８の前段あるいは後段に分周器を挿入して用いるようにしてもよい。
【００３５】
〔第２の実施形態〕
上述した実施形態では、ＡＭ受信機において動作試験を行うための構成について説明したが、構成を若干変更することにより、ＦＭ受信機に本発明を適用することもできる。
【００３６】
図５は、第２の実施形態のＦＭ受信機の構成を示す図である。図５に示すように、本実施形態のＦＭ受信機は、高周波増幅回路１１１、混合回路１１２、局部発振器１１３、中間周波フィルタ１１４、１１６、中間周波増幅回路１１５、ＦＭ検波回路１１７、ＰＬＬ回路１２０、発振器２１、水晶振動子２２、分周器１２３、逓倍器１２４、スイッチ１２５、レベル検出器３０、電圧比較器３１、ＣＰＵ３２、メモリ３３、ＬＣＤ３４を含んで構成されている。図５に示したＦＭ受信機は、図１に示したＡＭ受信機と類似した構成を有しており、主にその違いに着目して説明を行うものとする。また、図１に示したＡＭ受信機と同じ構成については同じ符号を付し、詳細な説明は省略する。
【００３７】
アンテナ１１０によって受信したＦＭ変調波信号を高周波増幅回路１１１によって増幅した後、局部発振器１１３から出力される局部発振信号を混合することにより高周波信号から中間周波信号への変換を行う。例えば、１０．７ＭＨｚの中間周波信号に変換される。
【００３８】
中間周波フィルタ１１４、１１６は、中間周波増幅回路１１５の前段および後段に設けられており、入力される中間周波信号から変調波信号の占有周波数帯域に含まれる周波数成分を抽出する。中間周波増幅回路１１５は、中間周波信号を増幅する。ＦＭ検波回路１１７は、中間周波増幅回路１１５によって増幅された後の中間周波信号に対してＦＭ検波処理を行う。
【００３９】
逓倍器１２４は、発振器２１から出力される１７．１ＭＨｚの信号を逓倍して、ＦＭ放送の受信帯域に含まれる所定周波数の試験信号を生成する。例えば、１７．１ＭＨｚの信号を５逓倍することにより、８５．５ＭＨｚ（＝１７．１ＭＨｚ×５）の試験信号が出力される。
【００４０】
本実施形態のＦＭ受信機はこのような構成を有しており、第１の実施形態のＡＭ受信機と同様にして動作試験が実施される。すなわち、動作試験時にはＣＰＵ３２によってスイッチ１２５がオン状態に制御され、逓倍器１２４から出力される８５．５ＭＨｚの試験信号が高周波増幅回路１１１の入力端に入力される。この試験信号は、混合回路１１２によって所定周波数の中間周波信号に変換された後、中間周波フィルタ１１４、中間周波増幅回路１１５を介した中間周波フィルタ１１６から出力され、レベル検出器３０によって検出される。したがって、電圧比較器３１の出力がハイレベルになり、ＣＰＵ３２は、この電圧比較器３１の出力信号に基づいて動作試験結果の良否を判定し、判定結果をＬＣＤ３４に表示する。
【００４１】
このように、本実施形態のＦＭ受信機では、動作試験を行うために必要な試験信号を発生する構成と試験結果の良否を判定する構成を内蔵しており、外部の測定装置等を用いることなく動作状態を自己診断することが可能であり、外部の測定装置等の接続が不要であって、この接続に要する時間を省略することによる試験時間の短縮が可能となる。
【００４２】
また、本実施形態のＦＭ受信機では、ＰＬＬ回路１２０に入力する基準信号を生成するために用いられる発振器２１の出力信号を逓倍器１２４で逓倍することにより、動作試験に必要な試験信号を生成しているため、この試験信号を発生させるためだけに用いられる発振器が不要になり、構成の簡略化が可能になる。特に、発振器２１の出力信号を逓倍するだけで、周波数精度の高い試験信号を生成することが可能であり、装置構成のさらなる簡略化が可能になる。
【００４３】
〔第３の実施形態〕
上述した各実施形態では、ＡＭ受信機あるいはＦＭ受信機に本発明を適用した場合を説明したが、ＡＭ受信機とＦＭ受信機の両方の機能を備える受信機について本発明を適用するようにしてもよい。
【００４４】
図６は、第３の実施形態の受信機の構成を示す図である。図６に示すように、本実施形態の受信機は、ＡＭ回路１、ＦＭ回路２、切替スイッチ３、発振器２１、水晶振動子２２、信号発生部２４Ａ、１２４Ａ、スイッチ２５、１２５、レベル検出部３０、電圧比較器３１、ＣＰＵ３２、メモリ３３、ＬＣＤ３４を含んで構成されている。
【００４５】
ＡＭ回路１は、図１に示した高周波増幅回路１１、混合回路１２、局部発振器１３、中間周波フィルタ１４、１６、中間周波増幅回路１５、ＰＬＬ回路２０、分周器２３に対応しており、アンテナ１０によって受信されたＡＭ変調波信号やスイッチ２５を介して入力される試験信号が入力され、これらのＡＭ変調波信号や試験信号に対応する中間周波信号を出力する。
【００４６】
また、ＦＭ回路２は、図５に示した高周波増幅回路１１１、混合回路１１２、局部発振器１１３、中間周波フィルタ１１４、１１６、中間周波増幅回路１１５、ＰＬＬ回路１２０、分周器１２３に対応しており、アンテナ１１０によって受信されたＦＭ変調波信号やスイッチ１２５を介して入力される試験信号が入力され、これらのＦＭ変調波信号や試験信号に対応する中間周波信号を出力する。
【００４７】
切替スイッチ３は、動作試験時にＡＭ回路１およびＦＭ回路２のいずれか一方から出力される中間周波信号を選択してレベル検出部３０に入力する。レベル検出部３０、電圧比較器３１、ＣＰＵ３２、メモリ３３、ＬＣＤ３４は、図１あるいは図５に示したものと同じであり、ＡＭ回路１とＦＭ回路２に対して共通する一組の構成が備わっている。
【００４８】
信号発生部２４Ａは、水晶振動子２２が接続された発振器２１から出力される信号に基づいて、ＡＭ回路１を用いた動作試験に必要な試験信号を生成する。図１に示した分周器２４、図３に示した発振器２６およびＰＬＬ回路２７、図４に示した周波数シンセサイザ２８が信号生成手段としての信号発生部２４Ａに対応している。また、信号発生部１２４Ａは、水晶振動子２２が接続された発振器２１から出力される信号に基づいて、ＦＭ回路２を用いた動作試験に必要な試験信号を生成する。図５に示した逓倍器１２４が信号生成手段としての信号発生部１２４Ａに対応している。
【００４９】
本実施形態の受信機はこのような構成を有しており、ＡＭ回路１およびＦＭ回路２のそれぞれに対して順番に動作試験が実施される。まず、ＣＰＵ３２によってＡＭ回路１に対応する一方のスイッチ２５のみがオン状態に制御され、信号発生部２４Ａから出力される所定周波数（例えば９５０ｋＨｚ）の試験信号がＡＭ回路１に入力される。ＡＭ回路１が正常に動作している場合には、この試験信号が中間周波信号に変換されてＡＭ回路１から出力される。また、このとき切替スイッチ３がＣＰＵ３２の制御によってＡＭ回路１側に切り替えられており、ＡＭ回路１から出力される中間周波信号は、切替スイッチ３を介してレベル検出部３０に入力され、レベル検出部３０によるレベル検出が行われる。レベル検出部３０の出力信号は電圧比較器３１に入力されており、ＣＰＵ３２は、電圧比較器３１の出力信号に基づいてＡＭ回路１に対する動作試験結果の良否を判定し、判定結果をＬＣＤ３４に表示する。
【００５０】
次に、ＣＰＵ３２によってＦＭ回路２に対応する他方のスイッチ１２５のみがオン状態に制御され、信号発生部１２４Ａから出力される所定周波数（例えば８５．５ＭＨｚ）の試験信号がＦＭ回路２に入力される。ＦＭ回路２が正常に動作している場合には、この試験信号が中間周波信号に変換されてＦＭ回路２から出力される。また、このとき切替スイッチ３がＣＰＵ３２の制御によってＦＭ回路２側に切り替えられており、ＦＭ回路２から出力される中間周波信号は、切替スイッチ３を介してレベル検出部３０に入力され、レベル検出部３０によるレベル検出が行われる。レベル検出部３０の出力信号は電圧比較器３１に入力されており、ＣＰＵ３２は、電圧比較器３１の出力信号に基づいてＦＭ回路２に対する動作試験結果の良否を判定し、判定結果をＬＣＤ３４に表示する。
【００５１】
このように、本実施形態の受信機では、ＡＭ回路１とＦＭ回路２のそれぞれに対して動作試験を行うために必要な試験信号を発生する構成（信号発生部２４Ａ、１２４Ａ）と試験結果の良否を判定する構成を内蔵しており、外部の測定装置等を用いることなく動作状態を自己診断することが可能であり、外部の測定装置等の接続が不要であって、この接続に要する時間を省略することによる試験時間の短縮が可能となる。
【００５２】
また、本実施形態の受信機では、ＡＭ回路１あるいはＦＭ回路２内で局部発振信号を生成するために必要な発振器２１の出力信号を用いて信号発生部２４Ａ、１２４Ａによって試験信号を生成しているため、この試験信号を発生させるためだけに用いられる発振器が不要になり、構成の簡略化が可能になる。
【００５３】
なお、本発明は上記実施形態に限定されるものではなく、本発明の要旨の範囲内において種々の変形実施が可能である。例えば、上述した実施形態では、ＬＣＤ３４に動作試験の結果を表示するようにしたが、試験結果をメモリ３３に格納し、後に外部の読み取り装置（例えばパーソナルコンピュータ）によってこのメモリ３３から試験結果を読み取るようにしてもよい。
【００５４】
また、上述した実施形態では、中間周波信号のレベルをレベル検出部３０によって検出して動作試験を行うようにしたが、信号の歪率を検出する等の他の方法を用いて動作試験を実施するようにしてもよい。
また、上述した実施形態では、半導体基板上に形成する範囲については説明していないが、アンテナ１０、１１０、水晶振動子２２、ＬＣＤ３４を除くすべての構成を半導体基板上に形成してこれらの部品の１チップ化を実現することにより、製造工程の簡略化、部品点数の低減等によるコストダウンが可能になる。
【００５５】
また、上述した実施形態では、ＰＬＬ回路２０に入力する基準信号を生成するために用いられる発振器２１の出力信号に基づいて試験信号を生成するようにしたが、受信機内に水晶振動子を用いた別の水晶発振器が備わっている場合、例えば、ＣＰＵ３２等のロジック回路の動作に必要なクロック信号を生成する水晶発振器が備わっている場合には、この水晶発振器の出力信号に基づいて試験信号を生成するようにしてもよい。特に最近では、多機能化や商品性向上等の観点からＣＰＵ３２等のロジック回路を備える受信機が多くなっている。このような受信機では、ロジック回路の動作に必要なクロック信号を生成する水晶発振器は必須の構成要素であり、この水晶発振器を試験信号生成用に用いることにより、部品の共用化による装置構成の簡略化が可能になる。
【００５６】
また、ＣＰＵ３２を用いて試験結果の良否を判定したが、ＣＰＵ３２に代えて簡単なロジック回路を用いて試験結果の良否判定を行うようにしてもよい。例えば。最も簡単な場合を考えると、電圧比較器３１の出力端にＬＥＤ（発光ダイオード）を接続し、電圧比較器３１の出力信号がハイレベルのときにこのＬＥＤを点灯させるようにしてもよい。
【００５７】
また、上述した実施形態では、中間周波フィルタ１６、１１６の出力をレベル検出部３０に入力するようにしたが、ＡＭ検波回路１７やＦＭ検波回路１１７の出力をレベル検出部３０に入力するようにしてもよい。例えば、ＡＭ検波回路１７の出力には搬送波の振幅に応じた直流成分が重畳しており、レベル検出部３０によってこの直流成分のレベル検出を行うようにしてもよい。これにより、動作試験に必要な装置構成の簡略化が可能になる。
【００５８】
【発明の効果】
上述したように、本発明によれば、動作試験に必要な試験信号の生成を行う構成と試験結果の良否判定を行う構成とを受信機内に含んでいるため、動作試験に際して外部の計測装置等との間で複雑な接続を行う必要がなく、動作試験に要する時間を短縮することができる。また、試験信号の生成は水晶発振器の出力信号を用いて行われるため、試験信号の生成に必要な構成を別に備える場合に比べて受信機の装置構成を簡略化することができる。
【図面の簡単な説明】
【図１】第１の実施形態のＡＭ受信機の構成を示す図である。
【図２】動作試験時におけるＡＭ受信機の動作手順を示す流れ図である。
【図３】本実施形態のＡＭ受信機の変形例を示す部分的な構成図である。
【図４】本実施形態のＡＭ受信機の変形例を示す部分的な構成図である。
【図５】第２の実施形態のＦＭ受信機の構成を示す図である。
【図６】第３の実施形態の受信機の構成を示す図である。
【符号の説明】
１  ＡＭ回路
２  ＦＭ回路
３  切替スイッチ
１０、１１０  アンテナ
１１、１１１  高周波増幅回路
１２、１１２  混合回路
１３、１１３  局部発振器
１４、１６、１１４、１１６  中間周波フィルタ
１５、１１５  中間周波増幅回路
１７  ＡＭ検波回路
２０、２７、１２０  ＰＬＬ回路
２１、２６  発振器
２２  水晶振動子
２３、２４、１２３  分周器
２５、１２５  スイッチ
２８  周波数シンセサイザ
３０  レベル検出部
３１  電圧比較器
３２  ＣＰＵ
３３  メモリ
３４  ＬＣＤ
１１７  ＦＭ検波回路
１２４  逓倍器
【図１】
2004153435.tif 000003
【図２】
2004153435.tif 000004
【図３】
2004153435.tif 000005
【図４】
2004153435.tif 000006
【図５】
2004153435.tif 000007
【図６】
2004153435.tif 000008